(57)【要約】【課題】補高材の取付け状態の安定性及び信頼性が高く、その脱着を容易に行うことができ、踵部のみならず前足部も含めたきめ細かな調節をして使用者の障害等の状態に適した補高靴を容易に仕上げることができる補高靴を提供する。【解決手段】靴本体１の底面に掛止面３Ａが下面となるように靴本体用面ファスナー体を取り付け、表底体２の上面に、前記靴本体用面ファスナー体の掛止面３Ａに掛止する掛止面４Ａが上面となるように表底体用面ファスナー体を取り付けて靴本体１と表底体２とを脱着自在とし、補高を行う靴ＳＬの靴本体１及び表底体２との間に、前記靴本体用面ファスナー体の掛止面３Ａに掛止可能な掛止面６Ａを有するファスナー体が上面に取り付けられるとともに、前記表底体用面ファスナー体の掛止面４Ａに掛止可能な掛止面７Ａを有するファスナー体が下面に取り付けられた補高調節片５を取り付けた。【選択図】図１
2010088662.tif 000002
【特許請求の範囲】
【請求項１】
左右の靴の靴本体の底面に掛止面が下面となるように靴本体用面ファスナー体を取り付けるとともに、表底体の上面に、前記靴本体用面ファスナー体の掛止面に掛止する掛止面が上面となるように表底体用面ファスナー体を取り付けて前記靴本体と前記表底体とを脱着自在とし、前記左右の靴の少なくともどちらかにおける前記靴本体及び表底体との間の前足部及び踵部の少なくともどちらかに、前記靴本体用面ファスナー体の掛止面に掛止可能な掛止面を有する上面ファスナー体が上面に取り付けられるとともに、前記表底体用面ファスナー体の掛止面に掛止可能な掛止面を有する下面ファスナー体が下面に取り付けられた所定高さの補高調節片を取り付けてなることを特徴とする補高靴。
【請求項２】
前記左右の靴の靴本体用面ファスナー体の掛止面の一方をループ面、他方をフック面としてなる請求項１記載の補高靴。
【請求項３】
前記補高調節片を前足部用補高調節片と踵部用補高調節片とに分けて補高を行う最小靴サイズの前記靴本体に合わせて製作し、これら前足部用補高調節片及び踵部用補高調節片の少なくともどちらかを補高を行うサイズの異なる靴に対して共用してなる請求項１記載の補高靴。
【発明の詳細な説明】
【技術分野】
【０００１】
本発明は、脚長差の補高を行うために使用される補高靴に関するものである。
【背景技術】
【０００２】
障害や疾病等により脚長差があると（左右の下肢長の長さが異なると）、起立時に骨盤が左右に傾くとともに、歩行時に肩が左右に揺れることから、脊柱が変形して腰痛等の様々な障害が発生するため、補高を行う必要が生じる。
ここで、脚長差が小さい場合には短い下肢側のインソールの厚さを厚くすることにより補高を行うことができるが、脚長差が大きい場合には補高靴を使用するのが一般的である。
このような補高靴は、メジャー等により左右の脚長差を計測し、その差を埋めるための補高材を短い下肢側の表底に直接接着すること、短い下肢側の靴を表底の上側で水平に切断して足型状（靴底形状）の補高材を挟み込ませた状態で接着すること、短い下肢側の靴の表底に補高材をビニールテープ等により固定すること等により製作される。
また、補高靴ではないが、靴の踵部の高さ調節を行う構造として、踵部に取り付けた前後一対の金具により所定高さの高底及び低底を着脱自在としたもの（例えば、特許文献１参照。）等がある。
【０００３】
【特許文献１】特公昭６２−４０００１号公報（第１図、第３図）
【発明の開示】
【発明が解決しようとする課題】
【０００４】
上述の補高材を接着する補高靴の構成では、補高靴の製作途中や製作後において補高高さを変更することに非常に手間がかかる。
また、上述のビニールテープ等により補高材を取り付ける補高靴の構成では、体裁が悪いため使用が敬遠されやすいものであり、補高材の取付け及び取外しに手間がかかるとともに、靴と補高材とが密着しにくく、よって歩行しくにい場合がある等、安定性及び信頼性の高い補高靴とはならない。
さらに、上述の補高靴の構成では、使用状態を確認しながらきめ細かな調節をして使用者の障害等の状態に適した補高靴を仕上げることができない。
【０００５】
さらにまた、特許文献１のような靴の踵部の高さ調節を行う構造を補高靴に用いた場合には、金具の重量が重いため使用感及び操作性が悪く、金具が突出しており体裁が悪いため使用が敬遠されやすく、踵部のみの高さ調節しかできないため、きめ細かな調節をして使用者の障害等の状態に適した補高靴を仕上げることができない。
【０００６】
そこで、本発明が前述の状況に鑑み、解決しようとするところは、補高材の取付け状態の安定性及び信頼性が高いものでありながら補高材の脱着を容易に行うことができ、踵部のみならず前足部も含めたきめ細かな調節をして使用者の障害等の状態に適した補高靴を容易に仕上げることができる補高靴を提供する点にある。
【課題を解決するための手段】
【０００７】
本発明に係る補高靴は、前記課題解決のために、左右の靴の靴本体の底面に掛止面が下面となるように靴本体用面ファスナー体を取り付けるとともに、表底体の上面に、前記靴本体用面ファスナー体の掛止面に掛止する掛止面が上面となるように表底体用面ファスナー体を取り付けて前記靴本体と前記表底体とを脱着自在とし、前記左右の靴の少なくともどちらかにおける前記靴本体及び表底体との間の前足部及び踵部の少なくともどちらかに、前記靴本体用面ファスナー体の掛止面に掛止可能な掛止面を有する上面ファスナー体が上面に取り付けられるとともに、前記表底体用面ファスナー体の掛止面に掛止可能な掛止面を有する下面ファスナー体が下面に取り付けられた所定高さの補高調節片を取り付けてなるものである。
【０００８】
ここで、前記左右の靴の靴本体用面ファスナー体の掛止面の一方をループ面、他方をフック面としてなると好ましい。
【０００９】
また、前記補高調節片を前足部用補高調節片と踵部用補高調節片とに分けて補高を行う最小靴サイズの前記靴本体に合わせて製作し、これら前足部用補高調節片及び踵部用補高調節片の少なくともどちらかを補高を行うサイズの異なる靴に対して共用してなると好ましい。
【発明の効果】
【００１０】
本発明に係る補高靴は、左右の靴の靴本体の底面に掛止面が下面となるように靴本体用面ファスナー体を取り付けるとともに、表底体の上面に、前記靴本体用面ファスナー体の掛止面に掛止する掛止面が上面となるように表底体用面ファスナー体を取り付けて前記靴本体と前記表底体とを脱着自在とし、前記左右の靴の少なくともどちらかにおける前記靴本体及び表底体との間の前足部及び踵部の少なくともどちらかに、前記靴本体用面ファスナー体の掛止面に掛止可能な掛止面を有する上面ファスナー体が上面に取り付けられるとともに、前記表底体用面ファスナー体の掛止面に掛止可能な掛止面を有する下面ファスナー体が下面に取り付けられた所定高さの補高調節片を取り付けてなるので、面ファスナーを剥がして、補高調節片の取替え、数の追加又は減少を容易に行うことができる。
よって、踵部のみの補高及び前足部のみの補高並びにこれら両方の補高を、使用者の障害等の状態に応じたきめ細かな調節をしながら迅速に実施することができる。
その上、このような面ファスナーを用いることにより補高調節片を容易に脱着できる構造であっても、使用状態では補高靴に対して使用者の体重が上から掛かることから面ファスナーの接着圧力が増加するため補高調節片が剥がれることはなく、補高調節片の取付け状態の安定性及び信頼性が低下することはない。
【００１１】
また、前記左右の靴の靴本体用面ファスナー体の掛止面の一方をループ面、他方をフック面としてなると、前記効果に加え、ループ面及びフック面からなる最も一般的な低コストの面ファスナーを使用していること、並びに、左右の靴の靴本体用面ファスナー体の掛止面の一方をループ面、他方をフック面とするように左右の掛止面を変えており、補高調節片の上下を反転させれば左右対称な左靴及び右靴の両方に対して使用することができ、よって、左右の補高調節片を別々に製作する場合と比較して製作する補高調節片の種類を半減することができることにより、補高靴のコストを低減することができる。
【００１２】
さらに、前記補高調節片を前足部用補高調節片と踵部用補高調節片とに分けて補高を行う最小靴サイズの前記靴本体に合わせて製作し、これら前足部用補高調節片及び踵部用補高調節片の少なくともどちらかを補高を行うサイズの異なる靴に対して共用してなると、前記効果に加え、製作する前足部用補高調節片及び踵部用補高調節片の種類を大幅に減少させることができるため、補高靴のコストをさらに低減することができる。
【発明を実施するための最良の形態】
【００１３】
次に、本発明の実施の形態を添付図面に基づいて説明するが、本発明は、添付図面に示された形態に限定されず特許請求の範囲に記載の要件を満たす実施形態の全てを含むものである。
なお、本明細書においては、靴の踵から足先に向かって前後左右をいうものとし、左方から見た図を正面図とする。
【００１４】
図１〜図４は、本発明の実施の形態に係る補高靴の構成説明図であり、図１（ａ）は前足部及び踵部に１枚の補高調節片を取り付けた例を示す正面図、図１（ｂ）は同じく２枚の補高調節片を取り付けた例を示す正面図、図２（ａ）は前足部に１枚の補高調節片を、踵部に２枚の補高調節片を取り付けた例を示す正面図、図２（ｂ）は前足部に２枚の補高調節片を、踵部に３枚の補高調節片を取り付けた例を示す正面図、図３は左右の靴本体及び表底体を示す正面図、図４は補高調節片の例を示す正面図である。
以下においては、短い下肢が左脚であるとして左靴ＳＬ側に補高を行う場合について説明するが、短い下肢が右脚である場合には右靴ＳＲ側に補高を行う必要があるとともに、左靴ＳＬ及び右靴ＳＲの両方に異なる高さの補高調節片５を装着して補高を行うこともできる。
【００１５】
補高靴Ｓは、図３に示すように、左靴ＳＬ及び右靴ＳＲの靴本体１，１のそれぞれの底面１Ａに掛止面３Ａが下面となるように靴本体用面ファスナー体３を取り付けるとともに、表底体２の上面２Ａに、靴本体用面ファスナー体３の掛止面３Ａに掛止する掛止面４Ａが上面となるように表底体用面ファスナー体４を取り付けて靴本体１と表底体２とを脱着自在としており、短い下肢である左脚側の靴ＳＬに、図１及び図２に示すように、使用者の脚長差に合わせた補高調節片５を取り付けている。
すなわち、補高調節片５は、図４に示すように例えば正面視矩形状のものであり、前足部用補高調節片５Ｆと踵部用補高調節片５Ｒとに分けて構成され、これらの上面５Ａ，５Ａには、靴本体用面ファスナー体３の掛止面３Ａに掛止可能な掛止面６Ａ，６Ａを有する上面ファスナー体６Ｆ，６Ｒが取り付けられ、前足部用補高調節片５Ｆ及び踵部用補高調節片５Ｒの下面５Ｂ，５Ｂには、表底体用面ファスナー体４の掛止面４Ａに掛止可能な掛止面７Ａ，７Ａを有する下面ファスナー体７Ｆ，７Ｒが取り付けられる。
【００１６】
なお、補高調節片５を前足部用補高調節片５Ｆと踵部用補高調節片５Ｒとに分けずに一体のものとしてもよく、補高調節片５を３個以上に分けて構成してもよい。
ここで、靴本体用面ファスナー体３の掛止面３Ａ、表底体用面ファスナー体４の掛止面４Ａ、補高調節片５掛止面６Ａ，７Ａは、最も一般的な面ファスナーを構成するフック状に起毛されたフック面Ｈ又はループ状に密集して起毛されたループ面Ｌであるが、フック及びループの両方が植え込まれているもの、マッシュルーム状に起毛されていて結合力が強いクリックタイプ又は鋸歯状のシャークバイト（鮫歯）タイプ等であってもよい。
本実施の形態では、図３に示すように、左靴ＳＬの靴本体用面ファスナー体３の掛止面３Ａをループ面Ｌとし、右靴ＳＲの靴本体用面ファスナー体３の掛止面３Ａをフック面Ｈとしており、このように左右の靴ＳＬ，ＳＲの靴本体用面ファスナー体３，３の掛止面３Ａ，３Ａの一方をループ面Ｌ、他方をフック面Ｈとするように左右の掛止面３Ａ，３Ａを変えている。
【００１７】
したがって、図４に示す補高調節片５の上面ファスナー体６Ｆ，６Ｒの掛止面６Ａ，６Ａはフック面Ｈであるため、左靴ＳＬの靴本体用面ファスナー体３の掛止面３Ａ（ループ面Ｌ）に貼り付き、下面ファスナー体７Ｆ，７Ｒの掛止面７Ａ，７Ａはループ面Ｌであるため、左靴ＳＬの表底体用面ファスナー体４の掛止面４Ａ（フック面Ｈ）に貼り付くものであるが、この補高調節片５の上下を反転させることにより、上面となった下面ファスナー体７Ｆ，７Ｒの掛止面７Ａ，７Ａはループ面Ｌであるため、右靴ＳＲの靴本体用面ファスナー体３の掛止面３Ａ（フック面Ｈ）に貼り付き、下面となった上面ファスナー体６Ｆ，６Ｒの掛止面６Ａ，６Ａはフック面Ｈであるため、右靴ＳＲの表底体用面ファスナー体４の掛止面４Ａ（ループ面Ｌ）に貼り付くため、同じ補高調節片５を左靴ＳＬ及び右靴ＳＲの両方に対して使用することができる。
よって、ループ面Ｌ及びフック面Ｈからなる最も一般的な低コストの面ファスナーを使用していること、並びに、左右の靴ＳＬ，ＳＲの靴本体用面ファスナー体３，３の掛止面３Ａ，３Ａの一方をループ面Ｌ、他方をフック面Ｈとするように左右の掛止面３Ａ，３Ａを変えており、補高調節片５の上下を反転させれば左右対称な左靴ＳＬ及び右靴ＳＲの両方に対して使用することができ、よって、左右の補高調節片５，５を別々に製作する場合と比較して製作する補高調節片５の種類を半減することができることにより、補高靴Ｓのコストを低減することができる。
【００１８】
また、補高調節片５は、例えば図４に示す前足部用補高調節片５Ｆ及び踵部用補高調節片５Ｒを、図１（ａ）に示すようにそのまま使用してもよいし、図１（ｂ）及び図２に示すように前足部用補高調節片５Ｆ及び踵部用補高調節片５Ｒの一方又は両方を上下に連結したものを使用してもよく、面ファスナーにより着脱が容易な補高調節片５を用いて、踵部のみの補高及び前足部のみの補高並びにこれら両方の補高を、使用者の障害等の状態に応じたきめ細かな調節をしながら迅速に実施することができる。
その上、このような面ファスナーを用いた補高調節片５を容易に脱着できる構造であっても、使用状態では補高靴Ｓに対して使用者の体重が上から掛かることから面ファスナーの接着圧力が増加するため補高調節片５が剥がれることはなく、補高調節片５の取付け状態の安定性及び信頼性が低下することはない。
【００１９】
図５は補高調節片のバリエーションの例を示す正面図、図６は図５に示す補高調節片を使用した補高靴の例を示す正面図であり、図５（ａ）〜（ｄ）は正面視台形状の補高調節片のバリエーション例を、図５（ｅ）は正面視矩形状の補高調節片の例を、図６（ａ）は前足部及び踵部に１枚の正面視台形状の補高調節片を取り付けた例を、図６（ｂ）は前足部に１枚の正面視台形状の補高調節片を、踵部に１枚の正面視台形状の補高調節片及び１枚の正面視矩形状の補高調節片を取り付けた例を示している。
なお、図５に示す前足部用補高調節片５Ｆ及び踵部用補高調節片５Ｒは、図４に示す前足部用補高調節片５Ｆ及び踵部用補高調節片５Ｒと同様に、その上下面に上面ファスナー体６Ｆ，６Ｒ及び下面ファスナー体７Ｆ，７Ｒが取り付けられているが、これらの面ファスナー体６Ｆ，６Ｒ，７Ｆ，７Ｒの記載は省略している。
【００２０】
図５（ａ）〜（ｄ）に示すような正面視台形状（略楔状）の補高調節片５Ｆ，５Ｒを使用することにより、あるいはこれらの補高調節片５Ｆ，５Ｒと図５（ｅ）に示すような正面視矩形状の補高調節片５Ｆ，５Ｒとを併用することにより、図１及び図２のような正面視矩形状の補高調節片のみを使用する補高靴Ｓに加え、図６（ａ）及び（ｂ）に示す補高靴Ｓのように、使用者の障害等の状態に応じたさらにきめ細かな補高調節を行うことができるようになる。
【００２１】
図７は補高調節片をサイズの異なる靴に対して共用する例を示す参考図であり、図７（ａ）は２４ｃｍサイズの補高靴の例を、図７（ｂ）は２５ｃｍサイズの補高靴の例を、図７（ｃ）は２６ｃｍサイズの補高靴の例を、図７（ｄ）は２７ｃｍサイズの補高靴の例を示している。
前足部用補高調節片５Ｆ及び踵部用補高調節片５Ｒを、図７（ａ）に示すように、補高を行う最小靴サイズである例えば２４ｃｍサイズの靴本体１に合わせて製作しておき、このサイズの前足部用補高調節片５Ｆ及び踵部用補高調節片５Ｒの一方又は両方を、２４ｃｍサイズよりも大きいサイズの靴本体１に対して使用することができる。
【００２２】
例えば、前足部用補高調節片５Ｆ及び踵部用補高調節片５Ｒの両方を使用する場合であっても、図７（ｂ）〜（ｄ）に示すように、２４ｃｍサイズに合わせて製作した前足部用補高調節片５Ｆ及び踵部用補高調節片５Ｒを前後方向に離間させ、より大きいサイズのものに適用する際には前足部用補高調節片５Ｆ及び踵部用補高調節片５Ｒの間隔を広げるように調整することにより、補高を行うサイズの異なる靴に対して共用することができ、よって、製作する前足部用補高調節片５Ｆ及び踵部用補高調節片５Ｒの種類を大幅に減少させることができるため、補高靴Ｓのコストをさらに低減することができる。
【図面の簡単な説明】
【００２３】
【図１】本発明の実施の形態に係る補高靴の正面図であり、（ａ）は前足部及び踵部に１枚の補高調節片を取り付けた例を、（ｂ）は同じく２枚の補高調節片を取り付けた例を示している。
【図２】同じく正面図であり、（ａ）は前足部に１枚の補高調節片を、踵部に２枚の補高調節片を取り付けた例を、（ｂ）は前足部に２枚の補高調節片を、踵部に３枚の補高調節片を取り付けた例を示している。
【図３】左右の靴本体及び表底体を示す正面図である。
【図４】補高調節片の例を示す正面図である。
【図５】補高調節片のバリエーションの例を示す正面図であり、（ａ）〜（ｄ）は正面視台形状の補高調節片のバリエーション例を、（ｅ）は正面視矩形状の補高調節片の例を示している。
【図６】図５に示す補高調節片を使用した補高靴の例を示す正面図であり、（ａ）は前足部及び踵部に１枚の正面視台形状の補高調節片を取り付けた例を、（ｂ）は前足部に１枚の正面視台形状の補高調節片を、踵部に１枚の正面視台形状の補高調節片及び１枚の正面視矩形状の補高調節片を取り付けた例を示している。
【図７】補高調節片をサイズの異なる靴に対して共用する例を示す参考図であり、（ａ）は２４ｃｍサイズ、（ｂ）は２５ｃｍサイズ、（ｃ）は２６ｃｍサイズ、（ｄ）は２７ｃｍサイズの補高靴の例を示している。
【符号の説明】
【００２４】
Ｓ  補高靴
ＳＬ  左靴
ＳＲ  右靴
Ｈ  フック面
Ｌ  ループ面
１  靴本体
１Ａ  底面
２  表底体
２Ａ  上面
３  靴本体用面ファスナー体
３Ａ  掛止面
４  表底体用面ファスナー体
４Ａ  掛止面
５  補高調節片
５Ａ  上面
５Ｂ  下面
５Ｆ  前足部用補高調節片
５Ｒ  踵部用補高調節片
６Ｆ，６Ｒ  上面ファスナー体
６Ａ  掛止面
７Ｆ，７Ｒ  下面ファスナー体
７Ａ  掛止面
【図１】
2010088662.tif 000003
【図２】
2010088662.tif 000004
【図３】
2010088662.tif 000005
【図４】
2010088662.tif 000006
【図５】
2010088662.tif 000007
【図６】
2010088662.tif 000008
【図７】
2010088662.tif 000009